(57)【要約】【課題】糊のみにより小冊子が表紙とともに効率よく製本できると同時に封書となり、しかも、この封書を受け取った者は１個所を切り取るだけで簡単に開封して小冊子を受領できる封書式小冊子作成用の型用紙を提供する。【解決手段】本願型用紙１は、得ようとする封筒の縦・横の長さを予め画定し、該画定した縦の長さを横幅Ａにとり、横の長さの２倍長を縦丈Ｂにとった中央面部２と、該中央面部２に折線３、４を介して左面部５と右面部６とを設け、これら３面部の１つの上縁又は下縁にフラップ７を設け、該フラップ７に切取線８ａ、８ｂを平行に２条設け、これら両切取線の中央に折線９を設け、両切取線の外側に糊代部１０を設けたことを特徴とし、小冊子が金具を一切使用せずに製本でき、そのまま封書となる。しかも、該封書を受領した者はこれを簡易に開封でき、開封により小冊子が即座に入手できるように構成した。【選択図】図１
2005088552.tif 000002
【特許請求の範囲】
【請求項１】
得ようとする封筒の縦・横の長さを予め画定し、該画定した縦の長さを横幅にとり、横の長さの２倍長を縦丈にとった中央面部と、該中央面部に折線を介して左面部と右面部とを設け、これら３面部の１つの上縁又は下縁にフラップを設け、該フラップに切取線を平行に２条設け、これら両切取線の中央に折線を設け、両切取線の外側に糊代部を設けたことを特徴とする封書式小冊子作成用の型用紙。
【発明の詳細な説明】
【技術分野】
【０００１】
本発明は、糊のみによる小冊子の製本が可能であり、製本した小冊子がそのまま顧客等に郵送できる封書となるようにした封書式小冊子作成用の型用紙に関するものである。
【背景技術】
【０００２】
従来の封書式小冊子の代表的なものに、特開平７−３２９９８２号公報に記載のものがある。これは、図９の如く、印刷された複数枚の紙葉９１を、表紙９２、９２とともに綴じて冊子９３とし、該冊子９３の一方の表紙９２の小口縁と天地縁に封緘フラップ９４、９４′９４″を設け、該封緘フラップ９４、９４′９４″にそれぞれ２条の平行なミシン目９５ａ、９５ｂと、その中間に折線９５ｃを設け、該折線９５ｃから折って外側ミシン目９５ｂの外部（斜線部）を他方の表紙９２に糊着すると封書となる。したがって、冊子９３を封筒に封入する必要がなく、製本の完了と同時に封書となるため、そのまま宛名を記載して郵送できる。また、この封書を受け取った者は合致している２条の平行なミシン目に沿って開封すれば、冊子９３が即座に受け取れる点で便利である。
【特許文献１】特開平７−３２９９８２号公報
【発明の開示】
【発明が解決しようとする課題】
【０００３】
しかしながら、この従来例によれば、紙葉９１とその表紙９２は別個に作成され、印刷され、製本の時点で一体化するために、製本に多くの労力と時間が掛かるという問題があったばかりでなく、この封書を受け取った者が開封する場合には周囲の３個所を切り取る必要があり、手間が掛かるるという問題があった。さらに、紙葉９１とその表紙９２との一体化にはステープルなどの金具を使用する以外になかったが、金具の使用は手指を傷つけることもあることから可及的には使用しない方が好ましいものである。
【０００４】
本発明は、上記の点に鑑み創出したもので、その目的とするところは、糊のみにより小冊子が表紙とともに効率よく製本できると同時に封書となり、しかも、この封書を受け取った者は１個所を切り取るだけで簡単に開封して小冊子を受領できる封書式小冊子作成用の型用紙を提供することにある。
【課題を解決するための手段】
【０００５】
上記目的を達成するため、本発明に係る封書式小冊子作成用の型用紙は、得ようとする封筒の縦・横の長さを予め画定し、該画定した縦の長さを横幅にとり、横の長さの２倍長を縦丈にとった中央面部と、該中央面部に折線を介して左面部と右面部とを設け、これら３面部の１つの上縁又は下縁にフラップを設け、該フラップに切取線を平行に２条設け、これら両切取線の中央に折線を設け、両切取線の外側に糊代部を設けたことを特徴とするものである。
【発明の効果】
【０００６】
本発明に係る封書式小冊子作成用の型用紙は、予め画定されている頁、頁順、頁毎の活字の向きにしたがって必要な印刷を施した後に上記構成に断裁し、フラップを設けない側の端縁を基準にして機械的に糊線を設け、所定の順序にしたがって折込み、フラップの糊代部を糊着し、不用個所をカットすれば、小冊子が金具を一切使用せずに製本でき、そのまま封書となる。しかも、該封書を受領した者はこれを簡易に開封でき、開封により小冊子が即座に入手できるなど各種の優れた効果を奏するものである。
【発明を実施するための最良の形態】
【０００７】
次に、本発明の実施形態を添付図面に基づいて説明する。図１は本願型用紙の平面図、図２は本願型用紙に糊線を設けた状態を示す平面図、図３は本願型用紙の左面部を中央面部に折重ねた状態を示す平面図、図４は左面部と中央面部の重ね体を右面部に折重ねた状態を示す平面図、図５は３面部の重ね体を糊線の位置から上下２つ折した状態を示す平面図、図６はフラップを糊着した状態を示す平面図、図７は封書式小冊子の斜視図、図８は開封して展開した状態を示す斜視図である。
【０００８】
本願型用紙１は、予め、得ようとする封筒の縦・横の長さを画定し、該画定した縦の長さを横幅Ａにとり、横の長さの２倍長を縦丈Ｂにとった中央面部２を設け、該中央面部２の両脇に、折線（一点鎖線で示す）３、４を介して左面部５と右面部６とを設ける。
【０００９】
前記中央面部２、左面部５及び右面部６のうちの１つ（図示の例では右面部６）の上縁又は下縁（図示の例では下縁）に、最終的に封書として仮止めするためのフラップ７を設けている。このフラップ７には切取線８ａ、８ｂが右面部６の下縁に平行に２条設けられている。この２条の切取線８ａ、８ｂのうち、イン側の切取線８ａは右面部６の下縁と重なってもよいが、図示の例では外に若干ズラしている。
【００１０】
前記両切取線８ａ、８ｂの中央には折線９を設け、該折線９より折ったときに、両切取線８ａ、８ｂが合致するようにしている。そして、アウト側の切取線８ｂの外側は糊代部（斜線）１０になっている。
【００１１】
前記本願型用紙１は、前記中央面部２、左面部５及び右面部６のそれぞれの表裏には、図示の如く、予め画定した「頁」、「頁順」、「頁の向き」を設定して必要な印刷が施されているものである。なお、四角で囲った数字は「頁」を示している。「頁順」及び「頁の向き」は四角で囲った数字の位置と向きによって示している。したがって、本願型用紙１を用いて製本を完了した時点では、印刷された小冊子となると同時に封書となることは勿論である。
【００１２】
前記本願型用紙１において、左面部５は図示の場合には１つの面部として表されているが、左面部５の更に左脇に折線を介して追加面部（図示せず）が設けられることもある。また、この追加面部の更に左脇に折線を介して第２追加面部、第３追加面部が設けられることもある。これら追加面部、第２追加面部、第３追加面部については、小冊子の頁数の増加の必要があった場合に有効である。
【００１３】
次に、本願型用紙１を用いた製本工程について説明する。まず、本願型用紙１のフラップを設けない側（中央面部２、左面部５及び右面部６の上縁側）を、基準線Ｓとして製本機（図示せず）の基準ガイド板（図示せず）に沿わせて左面部５を先頭にして搬送する。勿論、頁、頁順などの設定の仕方やフラップ７の設置面部によっては右面部６側を先頭にすることもある。
【００１４】
上記搬送中に、糊塗布機（図示せず）により前記縦丈Ｂの１／２の位置（基準線Ｓから）に、図２に太い一点鎖線で示す如く、糊線１１を左面部５と中央面部２及び右面部６を通して上縁と平行に設ける。この糊線１１が設けられた本願型用紙１は、製本機の第１折曲盤（図示せず）上にて折線３より左面部５（３頁と８頁）が、図３の矢印イの如く、中央面部２（４頁と７頁）の上面に重ねるように折られ、圧迫され、重ね面は互いに前記糊線１１を介して接着される。これにより、左面部５の裏面（２頁と９頁）が表に顕れる。なお、左面部５に追加面部があるときは、該追加面部を左面部５上に先に折重ねられることとなる。
【００１５】
次いで、第２折曲盤（図示せず）上において、折線４より左面部５と中央面部２との重ね体が、図４の矢印ロの如く、右面部６（１頁と１０頁）の上面に重ねるように折られ、圧迫され、重ね面は互いに前記糊線１１を介して接着される。これにより、中央面部５の裏面（５頁と６頁）が表に顕れる。
【００１６】
このようにして、左面部５と中央面部２と右面部６との重ね体が形成されるが、これが第３折曲盤（図示せず）上において、ここに備えたナイフ板（図示せず）と受け溝（図示せず）との作用により前記糊線１１に対応する個所より、図５の矢印ハの如く、上下が２つ折りされ、圧迫される。これにより、右面部６の裏面の上縁側（上１／２部分）が表に顕れる。図示の例では、右面部６の裏面の上１／２部分が宛名記載欄１２となり、下縁側（下１／２部分）が差出人記載欄（図示せず）になっているが、この逆でもよい。
【００１７】
しかる後、右面部６の下縁に設けたフラップ７を折線９より、図６の矢印ニの如く、折ると、アウト側の切取線８ｂの外側の糊代部１０が、宛名印刷面１２の一部に重なる。この折線９は２条の切取線８ａ、８ｂの中央にあるため、折線９より折ると両切取線８ａ、８ｂが互いに合致することとなる。勿論、糊代部１０にはフラップ７が折線９より折られる前に糊塗布機（図示せず）により糊が塗布されている。
【００１８】
そして、図６の一点鎖線で示した切断線１３、１３′に沿って不用個所１４、１４′をカットすると小冊子が金具を一切使用せずに製本され、そのまま封書１５となる。該封書１５は封筒の上下が開封された状態になっているが、封筒部分１５とこれに被包された小冊子部分１６とは一体であるため脱落することがなく、郵送上支障がない。しかして、この封書を受領した者はこれを切取線（合致している）８ａ（８ｂ）の１個所を切り落とすだけで開封でき、図８の如く、小冊子部分１６が取り出せる。即ち、封書の受領者は、即時に小冊子を受け取れることとなる。この小冊子は、頁が１頁から順に揃っていることはいうまでもない。
【００１９】
なお、上記説明では、下縁にフラップ７を設けた右面部６が、最も外側になるように折られるが、中央面部２又は左面部５の下縁にフラップ７を設けた場合には、その面部の裏側が最も外側になるように折られ、しかもその面部の裏面が封筒の宛名又は差出人記載欄になることは勿論である。
【産業上の利用可能性】
【００２０】
本願型用紙１は商品仕様書、商品カタログ、会社案内書などに広く利用できるものである。特に、自動車のカタログ、通信販売誌など、ダイレクトメールなどに応用して有効なものである。
【図面の簡単な説明】
【００２１】
【図１】本願型用紙の平面図である。
【図２】本願型用紙に糊線を設けた状態を示す平面図である。
【図３】本願型用紙の左面部を中央面部に折重ねた状態を示す平面図である。
【図４】左面部と中央面部の重ね体を右面部に折重ねた状態を示す平面図である。
【図５】３面部の重ね体を糊線位置から上下２つ折した状態を示す平面図である。
【図６】フラップを糊着した状態を示す平面図である。
【図７】封書式小冊子の斜視図である。
【図８】封書を開封して展開した状態を示す斜視図である。
【図９】従来例を示す斜視図である。
【符号の説明】
【００２２】
１  本願型用紙
２  中央面部
３、４  折線
５  左面部
６  右面部
７  フラップ
８ａ、８ｂ  切取線
９  折線
１０  糊代部
１１  糊線
１２  宛名記載欄
１３、１３′  切断線
１４、１４′  不用個所
１５  封書
１６  小冊子部分
Ａ  横幅
Ｂ  縦丈
【図１】
2005088552.tif 000003
【図２】
2005088552.tif 000004
【図３】
2005088552.tif 000005
【図４】
2005088552.tif 000006
【図５】
2005088552.tif 000007
【図６】
2005088552.tif 000008
【図７】
2005088552.tif 000009
【図８】
2005088552.tif 000010
【図９】
2005088552.tif 000011